(57)【特許請求の範囲】
【請求項１】
ヒンジ部を介して第１筐体と第２筐体とが開閉可能に連結された開閉式携帯端末装置であって、
開いた時に露呈する前記第１筐体の第１面には文字情報や画像情報を表示する表示部を設け、
閉じた時に前記第１面と対向する前記第２筐体の第１面には第１操作部を設け、
前記第２筐体の第１面とは反対側の第２面におけるヒンジ部近傍の稜部には回動可能な第２操作部を設け、
この第２操作部の両端には前記第２操作部より突出させて突出部を設けたことを特徴とする開閉式携帯端末装置。
【請求項２】
前記第２操作部は、
閉じた状態で第１の機能を有し、
開いた状態で受信待ち受け中に第２の機能を有するとともに、開いた状態で通話中に第３の機能を有することを特徴とする請求項１に記載の開閉式携帯端末装置。
【請求項３】
前記第２操作部を回動させることで音量を変更させるようにしたことを特徴とする請求項１または２に記載の開閉式携帯端末装置。
【請求項４】
前記第１筐体に設けられた前記表示部の反対面側に、前記反対面側を撮像するカメラを設けたことを特徴とする請求項１または２に記載の開閉式携帯端末装置。
【請求項５】
前記カメラは、前記第２操作部の回動により撮像倍率を変えるようにしたことを特徴とする請求項４に記載の開閉式携帯端末装置。
【請求項６】
前記第２操作部のラジアル方向への変位押し込みによって静止画像を撮像するようにしたことを特徴とする請求項４記載の開閉式携帯端末装置。
【請求項７】
前記カメラは、撮像開始時の所定撮像倍率を任意に変更後、撮像を終了し、再び撮像を開始した時は、前記第２操作部がいかなる位置であっても、撮像倍率を所定撮像倍率としたことを特徴とする請求項４記載の開閉式携帯端末装置。
【発明の詳細な説明】
【０００１】
【発明の属する技術分野】
本発明は、円筒状で回動と押し込み操作が可能な情報入力手段を有した開閉式携帯端末装置に関するものである。
【０００２】
【従来の技術】
従来、携帯端末装置としては、特開２００１−３１３７００号公報に記載された構成の開閉式携帯電話機１００、即ち、図８に示すように、ヒンジ部１０１で互いに回動自在に連結され第1筐体１０２及び第２筐体１０３を備えた構成のものが知られている。また、図９に示す特開２００１−２８２４３５号公報に記載のように、円筒状の情報入力手段２０１を備えた携帯電話機２００も知られている。
【０００３】
ここで、図９に示す携帯電話機２００の円筒状の情報入力装置２０１を、図８に示す携帯電話機１００において第２筐体１０３の操作キー群１０４よりもヒンジ部１０１寄りに配設した構成の携帯電話機３００について、図１０を参照しながら説明する。
【０００４】
図１０において、携帯電話機３００は、第１筐体３０１と第２筐体１０２からなり、前記第１筐体３０１と前記第２筐体３０２はヒンジ部３０３を介して開閉可能に連結されている。前記第１筐体３０１には、文字情報や画像情報を表示する表示部３０４と、前記第１筐体３０１と前記第２筐体３０２を閉じた時、第２操作部３０６が前記第１筐体３０１に当接することを防ぐ当接回避手段３０５とを備える。また、前記第２筐体３０２には、前記第２操作部３０６（携帯電話機２００の情報入力装置２０１に相当する）と、情報入力を行う第1操作部３０７とを備える。
【０００５】
このような構成の携帯電話機３００において、前記第２操作部３１０６の操作は、前記携帯電話機３００を把持している手の親指で行うか、または、前記携帯電話機３００を把持していない手の指で操作することになる。前記携帯電話機３００を片手で把持して操作する場合、前記第１操作部３０７の操作と前記第２操作部３０６の操作を両方とも前記携帯電話機３００を把持している手の親指で操作することとなる。
【０００６】
【発明が解決しようとする課題】
ところで、従来の開閉式携帯電話機における円筒状の情報入力手段は、操作性を高めるため、第２筐体のキー操作部などを設けた内側面より突出させて配設させることが好ましい。
【０００７】
しかしながら、第１筐体と第２筐体を閉じた時、円筒状の情報入力手段が第１筐体と当接するため、この当接を回避するには第１筐体側に前述した当接回避手段３０５を設ける必要があり、具体的には図１１に示すような凹部を形成しなくてはならない。その結果、第１筐体に設けられた表示部をより大きくするときの妨げになり、また、筐体のデザインやキー操作部のレイアウトの自由度を下げてしまうという問題があった。
【０００８】
また、第１筐体と第２筐体を閉じた時、円筒状の情報入力手段を操作できないため、第１筐体と第２筐体を閉じた時に外側になる外側面に配置された小型表示部に時刻や着信履歴などを表示させる操作をするため、第１筐体と第２筐体を閉じた時にも露出している外面にキーを設ける必要があった。
また、円筒状の情報入力手段が内側面に配置されていたため、一回の回動操作でせいぜい１８０°以下の回動だけしかさせることができず、多くの行に亙って情報をスクロールするような場合、何度も回動操作を繰り返す必要があり、操作性が悪かった。
【０００９】
本発明は、従来の問題を解決するためになされたもので、第１筐体と第２筐体を閉じた時にも円筒状の情報入力手段を操作することができるとともに、スクロール操作性を向上させることができ、しかも第１筐体に設けられた表示部の大型化を妨げることがなく、また、筐体のデザインやキー操作部のレイアウトの自由度を下げることがない開閉式携帯端末装置を提供することを目的とする。
【００１０】
【課題を解決するための手段】
本発明の開閉式携帯端末装置は、ヒンジ部を介して第１筐体と第２筐体とが開閉可能に連結された開閉式携帯端末装置であって、
開いた時に露呈する前記第１筐体の第１面には文字情報や画像情報を表示する表示部を設け、
閉じた時に前記第１面と対向する前記第２筐体の第１面には第１操作部を設け、
前記第２筐体の第１面とは反対側の第２面におけるヒンジ部近傍の稜部には回動可能な第２操作部を設け、
この第２操作部の両端には前記第２操作部より突出させて突出部を設けたことを特徴としている。
【００１１】
この構成により、前記第２操作部１１の 前記第２筐体３からの突出部分が前記第１筐体２に接触することを避けるための当接回避手段を設ける必要がなくなるため、前記表示部５を大きくすることの妨げにならず、また、前記第１筐体２と前記第２筐体３を閉じた時にも、前記第２操作部１１を操作することができる。
しかも、例えば机の上に開閉式携帯端末装置を置いた場合でも、前記第２操作部１１が机と当たらない構成のため、前記第２操作部１１の誤操作を回避することができる。
また、開閉式携帯端末装置を片手で把持する時、前記第２操作部１１の回動操作や押し込み操作を人差し指で行うことができるため、把持している手の親指で前記第２操作部１１を操作しなくてすむことにより、文書作成や情報閲覧時において親指の移動量が減り、操作性が向上する。
また、前記第２操作部１１が前記第２筐体３から突出する表面積が増えるため、電話帳検索や長文メールを読む際などに、多くの行をスクロールする際の操作性を向上させることができ、また、静止画を再生する際、前記第２操作部１１を同一方向へ回動させることにより、画像を撮像された時間順で再生することができるため、撮像された画像の選択や再生時の操作性が向上する。
【００１２】
また、本発明の開閉式携帯端末装置は、前記第２操作部は、閉じた状態で第１の機能を有し、
開いた状態で受信待ち受け中に第２の機能を有するとともに、開いた状態で通話中に第３の機能を有している。
この構成により、閉じた状態や開いた状態で、各種の多くの機能が得られるので、付加価値の高いが開閉式携帯端末装置が実現できるようになる。
【００１３】
また、本発明の開閉式携帯端末装置は、前記第２操作部を回動させることで音量を変更させるようにした構成を有している。
この構成により、通話時や待ち受け時に前記第２操作部を回動させることで通話音量や着信音量を変更することができる。
【００１４】
さらに、本発明の開閉式携帯端末装置は、前記第１筐体に設けられた前記表示部の反対面側に、前記反対面側を撮像するカメラを設けている。
この構成により、撮像する際、前記表示部に撮像している画像を表示させることができる。
【００１５】
さらに、本発明の開閉式携帯端末装置は、前記カメラは、前記第２操作部の回動により撮像倍率を変えるようにした構成を有している。
この構成により、撮像時に前記第２操作部を回動させることで撮像倍率を変更することができる。
【００１６】
さらに、本発明の開閉式携帯端末装置は、前記第２操作部のラジアル方向への変位押し込みによって静止画像を撮像するようにした構成を有している。
この構成により、撮像時に前記第２操作部を押し込み操作することで静止画像を撮像するシャッターの作用をさせることができる。
【００１７】
さらに、本発明の開閉式携帯端末装置は、前記カメラは、撮像開始時の所定撮像倍率を任意に変更後、撮像を終了し、再び撮像を開始した時は、前記第２操作部がいかなる位置であっても、撮像倍率を所定撮像倍率とした構成を有している。
この構成により、撮像終了時の撮像倍率がいくつになっていても、撮像再開時には所定倍率とさせることができる。
【００１８】
【発明の実施の形態】
以下、本発明の実施の形態について添付図面を参照しながら説明する。
図１は本発明の実施の形態に係る携帯電話機の構成を示す断面図、図２は図１における第２操作部についての断面拡大図、図３は本発明の実施の形態に係る携帯電話機を使用する様子を示した斜視図、図４は本発明の実施の形態に係る携帯電話機を平面に置いた時の様子を示す側面図、図５は小型表示部に表示される表示画面を示す説明図、図６は動画撮像時に表示部に表示される表示画面を表す説明図、図７は撮像した画像を閲覧する表示画面を示す説明図である。なお、表１は筐体の開閉状態とモード及び第２操作部の機能を表すものである。
【００１９】
図１において、携帯電話機１は、第１筐体２と第２筐体３からなり、前記第１筐体２と前記第２筐体３はヒンジ部４を介して開閉可能に連結されている。
【００２０】
前記第１筐体２には、文字情報や画像情報を表示する内側面（第１面）２Ａの表示部５と、前記第１筐体２と第２筐体３を閉じた時に時刻や着信履歴などを表示する外側面（第２面）２Ｂの小型表示部６と、通信制御などを行う第１基板７と、電磁波の送受信を行うアンテナ８と、通話時の相手の声を伝えるレシーバ部９と、画像を撮影するカメラ部１０とを備える。
【００２１】
また、前記第２筐体３には、外側面（第２面）３Ｂの第２操作部１１と、その両端に前記第２操作部１１より突出したガイド部１２と、情報入力を行う内側面（第１面）３Ａの第１操作部１３と、通信制御などを行う第２基板１４と、電源用の電池１５と、通話時に通話者の声を集音するマイク部１６とを備える。
【００２２】
また、図１において２点鎖線で示す携帯電話機１は、前記第１筐体２と第２筐体３を閉じた状態を示しており、前記第１筐体２に設けられた前記表示部５は、前記第２筐体３に設けられた前記第１操作部１３や前記マイク部１６と向き合うように設けられている。
【００２３】
また、前記ガイド部１２は、前記第２筐体３と一体的に形成され、この第２筐体３の表面から円弧状に突出している。図２に示すように、この突出した円弧の半径をR、前記第２操作部１１の半径をｒとすると、両者の関係はR＞ｒを満たしている。なお、前記ガイド部１２は、前記第２操作部１１より突出していれば、円弧状に限らず、筐体のデザインにより様々な形状が可能である。
【００２４】
また、前記ガイド部１２は、前記第２操作部１１をはさんで１５ｍｍ程度の間隔を設けている。この間隔は、操作者の人差し指先端の幅を計った値であって、間隔が１５ｍｍ以上であれば操作上差し支えない。
【００２５】
以上のように構成された開閉式携帯端末装置について、その動作を説明する。図３のように携帯電話機１を片手で持つと前記第２操作部１１の操作は人差し指で行うことができる。前記第２操作部１１は円筒の軸心周りに回動操作をすることができ、さらに任意の位置で前記第２筐体３のラジアル方向への押し込み操作をすることができる。
【００２６】
また、図４のように携帯電話機を平面Ｔに置いた場合、前記ガイド部１２が前記第２操作部１１より突出しているため、前記第２操作部１１が誤って回動したり押し込み操作されることはなく、前記第２操作部１１の誤動作を防止することができる。
【００２７】
また、下記に示す表１及び図５ないし図７を使って、筐体の開閉状態と携帯電話機のモードと前記第２操作部１１の機能の関係を説明する。
【表１】
0003941928.tif 000002
表１に示すように、前記第１筐体２と前記第２筐体３を閉じた状態で着信待ち受け状態の時、前記第２操作部１１を回動させることにより前記小型表示部６の表示を切り替えることができ、前記第２操作部１１を押し込み操作することにより前記小型表示部６に着信履歴を表示させることができる。
【００２８】
この様子を、図５を用いて説明する。
（１）着信待ち受け状態において、前記小型表示部６Ａには時刻が表示されている。
（２）この状態において、前記第２操作部１１を回動させることにより、アンテナ感度やマナーモードの状態や電池残量を表示するモード表示画面６Ｂに切り替わる。
（３）さらに回動させると、着信履歴を表示する画面６Ｃに移り、不在着信件数や未読メールの数が表示される。
（４）この状態から、前記第２操作部１１を押し込み操作することにより、不在着信履歴のある場合には不在着信時の時刻と電話をかけてきた相手の名前を表示する画面６Ｄに移行し、不在着信履歴のない場合には着信がないことを伝えるメッセージが画面６Ｅに表示される。
以上より、前記第１筐体２と前記第２筐体３を閉じた状態での着信待ち受け状態における操作性を向上させることができる。
【００２９】
次に、表１に沿って各機能を説明する。
（１）初めに、表１に示すように、前記第１筐体２と前記第２筐体３を開いた状態で着信待ち受け状態の時、前記第２操作部１１を回動させることにより着信音量を変更することができ、前記第２操作部１１を押し込み操作することにより携帯電話機の機能一覧を表示させることができる。
以上より、前記第１筐体２と前記第２筐体３を開いた状態での着信待ち受け状態における操作性を向上させることができる。
【００３０】
（２）また、表１に示すように、前記第１筐体２と前記第２筐体３を開いた状態で動画撮像状態の時、前記第２操作部１１を回動させることにより撮像倍率の変更ができ、前記第２操作部１１を押し込み操作することにより静止画を撮像することができる。
【００３１】
この様子を、図６を例に用いて説明する。
前記カメラ部１０は、図６（Ａ）に示すように、動画撮像開始時には常に所定倍率で撮像され、これが表示部５の画面に表示される。この状態から前記第２操作部１１を下方向に回動させることにより撮像倍率が大きくなり、前記第２操作部１１を上方向に回動させることにより撮像倍率が小さくなる。この状態から、前記第２操作部１１を押し込み操作することにより、静止画が撮像される。
【００３２】
さらに、同図（Ｂ）に示すように、撮像倍率を任意に変更後、撮像を終了し（同図（Ｃ）参照）、同図（Ｄ）に示すように、再び撮像を開始した時は、前記第２操作部がいかなる位置でも所定倍率で撮像をすることができる。
以上より、前記第１筐体２と前記第２筐体３を開いた状態での画像撮像状態における操作性を向上させることができる。
【００３３】
（３）また、表１に示すように、前記第１筐体２と前記第２筐体３を開いた状態で通話状態の時、前記第２操作部１１を回動させることにより通話音量の変更ができ、前記第２操作部１１を押し込み操作することにより会話の録音ができる。
以上より、前記第１筐体２と前記第２筐体３を開いた状態での通話状態における操作性を向上させることができる。
【００３４】
（４）また、表１に示すように、前記第１筐体２と前記第２筐体３を開いた状態で文字入力状態の時、前記第２操作部１１を回動させることにより漢字変換候補の選択ができ、前記第２操作部１１を押し込み操作することにより漢字変換候補を決定することができる。
以上より、前記第１筐体２と前記第２筐体３を開いた状態での文字入力状態における操作性を向上させることができる。
【００３５】
（５）また、表１に示すように、前記第１筐体２と前記第２筐体３を開いた状態で電話帳検索状態の時、前記第２操作部１１を回動させることにより希望の相手先の選択ができ、前記第２操作部１１を押し込み操作することにより通話の開始や送信先のメールアドレスの決定を行うことができる。
以上より、前記第１筐体２と前記第２筐体３を開いた状態での電話帳検索状態における操作性を向上させることができる。
【００３６】
（６）また、表１に示すように、前記第１筐体２と前記第２筐体３を開いた状態で情報閲覧状態の時、前記第２操作部１１を回動させることにより画面のスクロールができ、前記第２操作部１１を押し込み操作することにより他の情報や画像などのリンク先へ移ることができる。
以上より、前記第１筐体２と前記第２筐体３を開いた状態での情報閲覧状態における操作性を向上させることができる。
【００３７】
（７）また、表１に示すように、前記第１筐体２と前記第２筐体３を開いた状態で撮像した静止画を閲覧している状態の時、前記第２操作部１１を回動させることにより次の静止画へ移ることができ、前記第２操作部１１を押し込み操作することによりメールへの添付や壁紙への登録を行うことができる。
【００３８】
この様子を、図７を例に用いて説明する。
図７（Ａ）に示す撮像された静止画は、撮像した日時の古い順に閲覧することができる。即ち、前記第２操作部１１を一定方向（この実施の形態では下方向）に回動させることにより、次の新しい画像に移り（同図（Ｂ）、（Ｃ）参照）、前記第２操作部１１を逆方向（この実施の形態では上方向）に回動させることによりひとつ前の古い画像に戻ることができる。また、前記第２操作部を一定方向に回動させ続け、保存されている画像を全て閲覧し終わった時は、図７（Ｄ）に示す再び初めの画像に戻る。
以上より、前記第１筐体２と前記第２筐体３を開いた状態での静止画閲覧状態における操作性を向上させることができる。
【００３９】
このような本発明の実施の形態によれば、前記第２操作部１１を前記第２筐体３の第２面と第３面とにまたがって設けることにより、前記第２操作部１１が操作指に触れる面積が増え、操作性が向上する。
また、前記第１筐体２に従来必要としていた当接回避手段を設ける必要がなくなり、前記表示部５をより大きく、より前記第１操作部１３に近づけて配置することができるとともに、前記第１操作部１３を小さくすることができ、開閉式携帯端末装置の小型化ができる。
【００４０】
また、前記第１筐体２と前記第２筐体３を閉じた時にも、前記第２操作部１１を操作することができ、前記第１筐体２と前記第２筐体３を閉じた状態で、前記小型表示部６に時刻や着信履歴などを表示させる操作をする際の操作性が向上する。
【００４１】
また、文書を作成する際に、前記第１操作部１３を親指で操作することで文字入力を行い、前記第２操作部１１を人差し指で操作することで漢字変換や決定操作を行うことにより、従来のキー操作部と円筒状の情報入力装置の操作を両方とも親指で行う開閉式携帯端末装置と比較して、操作指の移動を少なくすることができ、文書作成時の操作性が向上する。
【００４２】
また、前記ガイド部１２が前記第２操作部１１より突出しているため、前記第２操作部１１が誤って回動したり押し込み操作されることはなく、前記第２操作部１１の誤動作を防止することができる。
【００４３】
【発明の効果】
以上のように本発明は、第２操作部を第２筐体の背面角部に設けることにより、表示部をより大きく、より第１操作部に近づけて配置することができ、また、第１操作部を小さくできるため、携帯端末装置の小型化および軽量化ができる。
【００４４】
また、本発明によれば、以下のような効果を有する開閉式携帯端末装置を提供することができるものである。
▲１▼第１筐体と第２筐体を閉じた時でも第２操作部を操作することができ、しかも、ガイド部が第２操作部より突出しているため、机などの平面に置いた場合でも第２操作部の誤動作を防止することができる。
▲２▼また、第２操作部が第２筐体から突出した面積が多くなるため、一度に回動できる角度が増え、操作性が向上する。
【図面の簡単な説明】
【図１】本発明の実施の形態が適用された携帯電話機の構成を示す断面図である。
【図２】本発明の実施の形態が適用された携帯電話機の構成を示す断面図のうち、第２操作部の拡大図である。
【図３】本発明の実施の形態が適用された携帯電話機を使用する様子を示した斜視図である。
【図４】本発明の実施の形態が適用された携帯電話機を平面に置いた時の様子を示す側面図である。
【図５】本発明の実施の形態が適用された携帯電話機において、小型表示部に表示される表示画面の変化する状態を示す説明図である。
【図６】本発明の実施の形態が適用された携帯電話機において、動画撮像時に表示部に表示される表示画面を表す図である。
【図７】本発明の実施の形態が適用された携帯電話機において、撮像した画像を閲覧する表示画面を示す図である。
【図８】従来の開閉式携帯端末装置を示す斜視図である。
【図９】従来の携帯電話機において、円筒状の情報入力手段を示す説明図である。
【図１０】図９の円筒状の情報入力手段を図８の開閉式携帯端末装置に配設した場合の開閉式携帯端末装置を示す斜視図である。
【符号の説明】
１      携帯電話機
２      第１筐体
２Ａ    第１面（内側面）
２Ｂ    第２面（外側面）
３      第２筐体
３Ａ    第１面（内側面）
３Ｂ    第２面（外側面）
４      ヒンジ部
５      表示部
６      小型表示部
７      第１基板
８      アンテナ
９      レシーバ部
１０    カメラ部
１１    第２操作部
１２    ガイド部（突出部）
１３    第１操作部
１４    第２基板
１５    電池
１６    マイク部
【図１】
0003941928.tif 000003
【図２】
0003941928.tif 000004
【図３】
0003941928.tif 000005
【図４】
0003941928.tif 000006
【図５】
0003941928.tif 000007
【図６】
0003941928.tif 000008
【図７】
0003941928.tif 000009
【図８】
0003941928.tif 000010
【図９】
0003941928.tif 000011
【図１０】
0003941928.tif 000012